(57)【要約】【課題】貯水槽より各種食物残渣、調理クズ等のゴミ類を確実かつ容易にすくい上げ除去することができるとともに、耐久性、及びゴミ除去機能に優れ、さらには如何なる径、深さの貯水槽、及び作業者の身長であっても効率的なゴミ除去をすることができるゴミ除去器の提供を目的とする。【解決手段】食物残渣、食べカス、調理クズ等の各種ゴミを含む汚水貯留槽より前記各種ゴミをすくい上げる排水機能を有するゴミ収納体２と、該ゴミ収納体に取り付けられ長さ調節自在の柄３からゴミ除去器１を構成する。【選択図】図１
0003121091.tif 000002
【実用新案登録請求の範囲】
【請求項１】
食物残渣、食べカス、調理クズ等の各種ゴミを含む汚水貯留槽より前記各種ゴミをすくい上げる排水機能を有するゴミ収納体と、該ゴミ収納体に取り付けられ長さ調節自在の柄からなることを特徴とするゴミ除去器。
【請求項２】
ゴミ収納体はゴミ収納用凹部を有する方形状の金網体からなるとともに柄取付部と反対方向には汚水貯留槽の壁部に沿ってゴミをすくい上げるべく壁面当接部材を突設したことを特徴とする請求項１記載のゴミ除去器。
【請求項３】
ゴミ収納用凹部は柄方向に向かって収納部を深くしたことを特徴とする請求項２記載のゴミ除去器。
【請求項４】
長さ調節自在の柄は、一端をゴミ収納体に取り付けられた柄構成部材とこの柄構成部材の他方部分を挿入し所望位置で固定することのできる筒体からなる柄構成部材とより形成されてなることを特徴とする請求項１記載のゴミ除去器。
【考案の詳細な説明】
【技術分野】
【０００１】
本考案は、社員食堂、厨房、レストラン、魚河岸等において使用され、食物残渣、食べカス、調理クズ等の各種ゴミを含む汚水、雑排水をいったん貯留する貯水槽よりゴミを除去するに際して有用なゴミ除去器である。
【背景技術】
【０００２】
従来この種、貯水槽のゴミ類をすくい上げる手段としては、排水機能を有する布製のゴミ収納部からなるゴミ取り器が存在している。
【特許文献１】実用新案登録第３１０９７２２号公報
【考案の開示】
【考案が解決しようとする課題】
【０００３】
百貨店、魚河岸、社員食堂、レストランにおいて、食物残渣、野菜クズ、食べのこし等でかなり大きいものは台所のシンク等において除去するものの、食物残渣等の多くを含む汚水、雑排水は、各所の排水溝、排水筒を通していったん貯水槽に入る。
これをそのまま流してしまうことは公害の原因となるとともに、環境衛生上も好ましくなく、この貯水槽の段階で食物残渣、調理クズ等は完璧に除去する必要がある。
またこの貯水槽のゴミ類をそのままにしておけば腐敗が進み悪臭が発生する等これまた環境衛生上も好ましくない。
従来は布製の収納部からなるゴミすくい器があるが、破れやすく耐久性に乏しい。
特にこの種貯水槽は深く大径であり、しかも１日に数回ゴミ除去の作業を行うことから、この種布製のものでは対処することは困難である。
また貯水槽の深さ、作業者の身長により好適な柄の長さが要求されるが、従来のこの種ゴミすくい器の柄は一定であり長さ調節することができない。
さらには、貯水槽の壁面に沿って、満遍なくゴミ類をすくい上げる必要があるが、従来この種ゴミすくい器では壁面に確実に当接しこすり上げることは困難であり、仮にこのような作業をした場合にはゴミ収納部が変形したり破損してしまうことになる。
【０００４】
本考案は、このような欠点を全て解決し、最終貯留個所ともいうべき貯水槽より各種食物残渣、調理クズ等のゴミ類を確実かつ容易にすくい上げ除去することができるとともに、耐久性、及びゴミ除去機能に優れ、さらには如何なる径、深さの貯水槽、及び作業者の身長であっても効率的なゴミ除去をすることができるゴミ除去器を提供することを目的とする。
【課題を解決するための手段】
【０００５】
上記目的を達成するため、本考案のゴミ除去器は、食物残渣、食べカス、調理クズ等の各種ゴミを含む汚水貯留槽より前記各種ゴミをすくい上げる排水機能を有するゴミ収納体と、該ゴミ収納体に取り付けられ長さ調節自在の柄からなることを特徴とする。
【０００６】
また、ゴミ収納体はゴミ収納用凹部を有する方形状の金網体からなるとともに柄取付部と反対方向には汚水貯留槽の壁部に沿ってゴミをすくい上げるべく壁面当接部材を突設したことを特徴とする。
【０００７】
また、ゴミ収納用凹部は柄方向に向かって収納部を深くしたことを特徴とする。
【０００８】
また、長さ調節自在の柄は、一端をゴミ収納体に取り付けられた柄構成部材とこの柄構成部材の他方部分を挿入し所望位置で固定することのできる筒体からなる柄構成部材とより形成されてなることを特徴とする。
【考案の効果】
【０００９】
本考案のゴミ除去器によれば、食物残渣、食べカス、調理クズ等の各種ゴミを含む汚水貯留槽より前記各種ゴミをすくい上げる排水機能を有するゴミ収納体と、該ゴミ収納体に取り付けられ長さ調節自在の柄からなることで、貯水槽より各種食物残渣、調理クズ等のゴミ類を確実かつ容易にすくい上げ除去することができるとともに、耐久性、及びゴミ除去機能に優れ、さらには如何なる径、深さの貯水槽、及び作業者の身長であっても効率的なゴミ除去をすることができる。
【００１０】
また、ゴミ収納体はゴミ収納用凹部を有する方形状の金網体からなるとともに柄取付部と反対方向に壁面当接部材を突設したことで、壁面当接部材を汚水貯留槽の壁部に当接させこれに沿ってゴミ収納体を持ち上げることで汚水貯留槽内のゴミをまんべんなく、しかも壁部に付いたゴミを容易にすくうことができる。
【００１１】
また、ゴミ収納用凹部は柄方向に向かって収納部を深くしたことで、ゴミ収納用凹部の先端側ですくったゴミを奥側に貯めることができ、これによりこまめにゴミを捨てなくとも連続して効率の良い作業を行うことができる。
【００１２】
また、長さ調節自在の柄は、一端をゴミ収納体に取り付けられた柄構成部材とこの柄構成部材の他方部分を挿入し所望位置で固定することのできる筒体からなる柄構成部材とより形成することで、柄の強度を保持したままの状態で汚水貯留槽の深さ、及び作業者の体格に合致した柄の長さ調整が容易に行えるものである。
【考案を実施するための最良の形態】
【００１３】
図１〜図２は、本考案のゴミ除去器１を示し、ゴミ除去器１は食物残渣、食べカス、調理クズ等の各種ゴミを含む汚水貯留槽より各種ゴミをすくい上げる排水機能を有する金属製の網を備えたゴミ収納体２と、このゴミ収納体２に取り付けられ長さ調節自在の柄３とから構成されている。
【００１４】
前記ゴミ収納体２は、ゴミをすくい上げる排水機能を有するメッシュの細かいステンレス等の金網体４を方形状でかつゴミ収納用凹部５を形成し、これを太い針金を方形状に形成した枠体６に固定したものであり、一方を柄取付部７とするとともに、他方の先端には金属製の壁面当接部材８を突設した構成としている。前記ゴミ収納用凹部５は、柄３方向に向かって徐々に収納部を深くする構造からなり、壁面当接部材８でこすり取ったゴミ等をゴミ収納用凹部５に多く溜めることができる。
【００１５】
前記柄３は、一端をゴミ収納体２に取り付けられた柄構成部材９と、この柄構成部材９の他方部分を挿入し所望位置で固定することのできる筒体からなる柄構成部材１０とより形成されている。柄３の他端には、手で把持する際に滑らないように、ゴム製の筒状のカバー１１を被覆している。
【００１６】
柄３における柄構成部材９と柄構成部材１０とは、外側の柄構成部材１０を半回転程度回転させるだけで容易に内側の柄構成部材９に締結して固定的に一体化し、かつ柄構成部材１０を逆方向に回転させることで容易に緩む構造を備えており、これは一般的にクイック・ロック構造やスクリュー・ロック構造と称されているものを利用する。
尚、この長さ調節手段は長さを調節できるものでれば継手手段等いかなる手段を用いてもよい。
【００１７】
このような構造からなるゴミ除去器１の使用方法としては、図３に示すごとく、まず汚水貯留槽１２の中の各種のゴミ１３を確実にすくうことができるように、ゴミ除去器１の柄３を、作業者Ｍの身長及び汚水貯留槽１２の深さを考慮して適宜な長さに伸長し好適な長さで固定する。そして、壁面当接部材８を汚水貯留槽１２の壁面、底面に押し当てて擦りながら押し上げることで壁面、底面に付着するゴミをそぎ落としてゴミ収納用凹部５に集め、これを用意した廃棄処理容器内に廃棄するものである。水面に浮かぶゴミ１３や水中のゴミ１３は、汚水貯留槽１２の水中でゴミ収納体２を手前から奥へと繰り返し移動させることで、水を排水しゴミ１３だけを好適に集めることができる。
【００１８】
尚、上述した実施例にあってはゴミ収納体２の形状を方形として説明したが、これに限定されることはなく、四角形状、台形状、三角形状、円形状、楕円形状などゴミをすくい取りやすい形状であればいかなる形状であってもよい。
【図面の簡単な説明】
【００１９】
【図１】本考案のゴミ除去器を示す斜視図である。
【図２】本考案のゴミ除去器を示す側面図である。
【図３】本考案のゴミ除去器の使用状態を示す説明図である。
【符号の説明】
【００２０】
１  ゴミ除去器
２  ゴミ収納体
３  柄
４  金網体
５  ゴミ収納用凹部
６  枠体
７  柄取付部
８  壁面当接部材
９  柄構成部材
１０  柄構成部材
１１  カバー
１２  汚水貯留槽
１３  ゴミ
Ｍ  作業者
【図１】
0003121091.tif 000003
【図２】
0003121091.tif 000004
【図３】
0003121091.tif 000005